(57)【特許請求の範囲】
【請求項１】
中波帯または短波帯で使用する２つの送信機の出力を切替える送信機出力切替装置であって、
第１送信機出力が第１端子に供給され、第２送信機出力が第２端子に供給されて、前記第１端子入力と第２端子入力が第３端子より同相で合成されて出力され、前記第１端子入力と第２端子入力が第４端子より合成されたときに打ち消されずに生じる不平衡成分が出力される第１ブリッジドＴ型応用回路と、
前記第１ブリッジドＴ型応用回路の第４端子出力を供給されて０度又は１８０度移相する位相量可変の移相器と、
前記第１ブリッジドＴ型応用回路および前記移相器に接続され、前記第１ブリッジドＴ型応用回路と同一構成の第２ブリッジドＴ型応用回路と、を有し、
前記第１ブリッジドＴ型応用回路の第３端子出力を前記第２ブリッジドＴ型応用回路の第３端子に供給し、前記移相器出力を前記第２ブリッジドＴ型応用回路の第４端子に供給し、前記第２ブリッジドＴ型応用回路の第１端子の出力を目的負荷に供給し、前記第２ブリッジドＴ型応用回路の第２端子の出力を疑似負荷に供給するよう構成され、
前記第１ブリッジドＴ型応用回路及び第２ブリッジドＴ型応用回路それぞれは、
前記第１端子が直列接続した第１，第２コイル及び直列接続した第１，第２コンデンサを介して前記第２端子に接続され、前記第１，第２コイルの接続点が第３コンデンサを介して接地されると共に前記第３端子に接続され、
前記第２コンデンサと並列にトランスの１次巻線が接続され、前記トランスの他端を接地された２次巻線の一端が前記第４端子に接続されて構成されていることを特徴とする送信機出力切替装置。
【発明の詳細な説明】
【０００１】
【発明の属する技術分野】
本発明は送信機出力切替装置に関し、特に、中波帯または短波帯で使用する送信機の出力を切替える送信機出力切替装置に関する。
【０００２】
【従来の技術】
従来、ＶＨＦ帯やＵＨＦ帯の放送機出力切替については、特公平１−３３０４１号公報に記載の技術が知られているが、中波帯または短波帯の送信機については、図１１に示すように、出力本線に切替スイッチ１０を設け、送信機１１と送信機１２のいずれかを負荷１３に接続し出力切替を行っている。切替時は送信機１１，１２と切替スイッチ１０を保護する観点から、送信機１１，１２の出力を一時遮断状態として切替える。これは、活線状態で切替えた場合、送信機１１，１２側からみた負荷インピーダンスに変動が生じ、電圧定在波比が増大し、反射波により送信機１１，１２を損傷する恐れがあるからである。
【０００３】
【発明が解決しようとする課題】
従来の中波帯または短波帯の送信機の出力切替装置は、本線系統に切替スイッチ１０を設けた方式が一般的に用いられ、負荷１３に供給する電力を一定に保った状態で送信機を切替えることは不可能であり、一旦電力供給を停止している。
【０００４】
通常、高い信頼性が要求される装置では、複数の送信機を用意し、任意の送信機出力を合成して得た規定出力を負荷に供給する方式をとっている。この方式は冗長系が確保でき、切替える必要のない送信機については動作状態のままで切替え対象となる送信機のみ停止させることができる。従って、切替時にも負荷に対して出力を供給できるものの、切替動作過程では負荷への供給電力の低下は避けられないという問題があった。
【０００５】
本発明は、上記の点に鑑みなされたもので、送信機が動作状態のままで切替えを行うことができ、かつ、負荷への供給電力を一定に保った状態で切替えることができる送信機出力切替装置を提供することを目的とする。
【０００６】
【課題を解決するための手段】
請求項１に記載の発明は、中波帯または短波帯で使用する２つの送信機の出力を切替える送信機出力切替装置であって、
第１送信機出力が第１端子に供給され、第２送信機出力が第２端子に供給されて、前記第１端子入力と第２端子入力が第３端子より同相で合成されて出力され、前記第１端子入力と第２端子入力が第４端子より合成されたときに打ち消されずに生じる不平衡成分が出力される第１ブリッジドＴ型応用回路と、
前記第１ブリッジドＴ型応用回路の第４端子出力を供給されて０度又は１８０度移相する位相量可変の移相器と、
前記第１ブリッジドＴ型応用回路および前記移相器に接続され、前記第１ブリッジドＴ型応用回路と同一構成の第２ブリッジドＴ型応用回路と、を有し、
前記第１ブリッジドＴ型応用回路の第３端子出力を前記第２ブリッジドＴ型応用回路の第３端子に供給し、前記移相器出力を前記第２ブリッジドＴ型応用回路の第４端子に供給し、前記第２ブリッジドＴ型応用回路の第１端子の出力を目的負荷に供給し、前記第２ブリッジドＴ型応用回路の第２端子の出力を疑似負荷に供給するよう構成され、
前記第１ブリッジドＴ型応用回路及び第２ブリッジドＴ型応用回路それぞれは、
前記第１端子が直列接続した第１，第２コイル及び直列接続した第１，第２コンデンサを介して前記第２端子に接続され、前記第１，第２コイルの接続点が第３コンデンサを介して接地されると共に前記第３端子に接続され、
前記第２コンデンサと並列にトランスの１次巻線が接続され、前記トランスの他端を接地された２次巻線の一端が前記第４端子に接続されて構成されていることにより、
第１，第２送信機出力の位相を変化させ出力電力の合成または分配を行って第１，第２送信機が動作状態のままで切替えを行うことができ、負荷への供給電力を一定に保った状態で切替えることができ、また、第１端子入力と第２端子入力を合成して第３端子から出力すると共に、第１端子入力と第２端子入力の不平衡成分を第４端子から任意に出力として取り出すことが可能となる。
【０００８】
【発明の実施の形態】
本発明になる中波送信機出力切替装置について図面を参照して説明する。
【０００９】
図１は、本発明の中波送信機出力切替装置の一実施例のブロック図を示す。同図中、発振器２０の出力する発振信号は中波帯の送信機２１，２２それぞれに供給され、送信機２１，２２それぞれは供給される発振信号を搬送波とする変調波を出力する。
【００１０】
送信機２１の出力信号はブリッジドＴ型を応用した回路（以下、「ブリッジドＴ型応用回路」と称す）２３の第１端子（図中▲１▼で示す）に供給され、送信機２２の出力信号はブリッジドＴ型応用回路２３の第２端子（図中▲２▼で示す）に供給される。ブリッジドＴ型応用回路２３の第３端子（図中▲３▼で示す）から出力される信号はブリッジドＴ型応用回路２５の第３端子に供給され、ブリッジドＴ型応用回路２３の第４端子（図中▲４▼で示す）から出力される信号は位相量可変の移相器２４を通してブリッジドＴ型応用回路２５の第４端子に供給される。
【００１１】
つまり、同一構成のブリッジドＴ型応用回路２３，２５は対称接続され、その間に可変移相器２４が挿入されている。ブリッジドＴ型応用回路２５の第１端子から出力される信号は負荷（目的負荷）２６に供給され、ブリッジドＴ型応用回路２５の第２端子から出力される信号は負荷（疑似負荷）２７に供給される。
【００１２】
図２（Ａ），（Ｂ）はブリッジドＴ型基本回路，ブリッジドＴ型応用回路の一実施例の回路図を示す。図２（Ａ）に示すブリッジドＴ型基本回路は、主に出力合成回路として用いられ、入力１と入力２を合成して出力し、２つの入力相互の不平衡成分は吸収抵抗Ｒ０で消費される。
【００１３】
これに対し、図２（Ｂ）に示すブリッジドＴ型応用回路では、第１端子３１は直列接続したコイルＬ１，Ｌ２を介して第２端子３２に接続され、コイルＬ１，Ｌ２の接続点はコンデンサＣ１を介して接地されると共に第３端子３３に接続されている。これと共に、第１端子３１は直列接続したコンデンサＣ２，Ｃ３を介して第２端子３２に接続され、コンデンサＣ３と並列にトランスＴ１の１次巻線が接続され、トランスＴ１の２次巻線は一端を第４端子３４に接続され他端を接地されている。ブリッジドＴ型応用回路は、第１端子３１入力と第２端子３２入力を合成して第３端子３３から出力すると共に、第１端子３１入力と第２端子３２入力の不平衡成分をトランスＴ１を介して第４端子３４から任意に出力として取り出す４端子回路である。なお、上記第１端子３１、第２端子３２、第３端子３３、第４端子３４それぞれは接地レベルを基準として信号の入出力を行っている。
【００１４】
次にブリッジドＴ型応用回路の入出力における位相関係について説明する。なお、基本回路と応用回路の位相関係は同一である。図３は、ブリッジドＴ型応用回路２３の第１端子に入力１を供給した場合を示す。第１端子の入力１は均等分割され第３，第４端子に２つの出力（出力１，２）として現れる。各々の出力位相はベクトル図に示す通り、入力１に対して出力１は４５度遅れ、出力２は４５度進む。従って、出力１は出力２に対して９０度位相が遅れる。
【００１５】
同様に第２端子に入力２を供給した場合、図４に示すような出力関係となる。第２端子の入力２に対し、第３端子の出力１は４５度遅れ、第４端子の出力２は１３５度遅れる。従って、出力１は出力２に対して９０度位相が進む。
【００１６】
図５は、ブリッジドＴ型応用回路２３の第１，第２端子に同電力かつ同位相で入力１，入力２を供給した場合を示す。各々片方に入力した場合の結果（図３、図４）を重ね合せた出力関係となる。第３端子の出力１は入力１，２の成分が同相で合成される。この場合の合成ベクトルは図示の通りであり、入力１，入力２に対して√２倍の電圧となる。従って、出力電力は各々の入力に対して２倍になる。第４端子の出力２は逆相で合成され打消されるため出力は無い。
【００１７】
次に、ブリッジドＴ型応用回路の入出力を逆に接続した（以下、「逆接続」と称す）場合の位相関係について示す。図６は、ブリッジドＴ型応用回路２５の第３端子に入力１を供給した場合を示す。入力１に対し、第１，第２端子の出力１と出力２は４５度位相が遅れ、出力１と出力２は同相関係となる。
【００１８】
同様にブリッジドＴ型応用回路２５の第４端子に入力２を供給した場合、図７に示すような出力関係となる。第２端子の入力２に対し、第１端子の出力１は４５度位相が進み、第２端子の出力２は１３５度位相遅れる。従って、出力１と出力２は逆相関係となる。
【００１９】
図８は、逆接続の条件で、ブリッジドＴ型応用回路２５の第３，第４端子に同電力かつ同位相で入力１，入力２を供給した場合を示す。各々片方に入力した場合の結果（図６、図７）を重ね合せた出力関係となる。出力１，２それぞれにおいては入力１，２の成分がベクトル合成され、入力１，２に対し出力１は同相となる。また、入力１，２に対し出力２は９０度位相が遅れる。この図８の位相関係から、第３，第４端子の片方の入力に移相器を設け、入力相互間に位相差を発生させ、ベクトルの合成、打ち消し作用を利用すれぱ、出力１または出力２の片方のみを出力することが可能となる。つまり、出力切替を行うことができる。
【００２０】
図９に示すように、移相器３５を挿入し入力１の位相を９０度遅れとした場合、出力１では入力１および入力２からの成分が逆相で打ち消され出力無しとなり、出力２は入力１，２成分が同相で合成され２倍（入力１＋入力２）の電力が現れる。
【００２１】
また、図１０に示すように、移相器３６を挿入し入力１の位相を９０度進めた場合、図９とは逆の結果となり、出力１は入力１，２成分が同相で合成され２倍（入力１＋入力２）の電力が現れ、出力２は打ち消され出力無しとなる。
【００２２】
この図９、図１０の結果から、ブリッジドＴ型応用回路を逆接続とした場合、入力相互間の位相関係を９０度変化（入力１基準とした場合、入力２が９０度位相進み、または９０度位相遅れ）すれば、入力合成電力を出力１または出力２に切替えて出力できる。
【００２３】
入力相互間の９０度の位相差は、図３，図４に示すようにブリッジドＴ型応用回路において各々片方のみに入力を加えた場合の出力関係で実現でき、９０度移相器３５，３６の代わりに、２つのブリッジドＴ型応用回路２３，２５を対称接続すれぱ、任意の入力を任意の負荷に供給できる。
【００２４】
従って、図１に示すブリッジドＴ型応用回路２５の第１端子の出力を電力供給目的の負荷２６に供給し、第２端子の出力を疑似の負荷２７に供給する場合、以下のステップで、常に負荷２６に規定出力を供給した状態での無停波切替が可能となる。
【００２５】
ステップ１．送信機２２を運転状態（送信機２１を停止状態、移相器２４の位相量は０度）として、対称接続されたブリッジドＴ型応用回路２３，２５間において、第３端子間で第４端子間よりも位相が９０度進み、負荷２６に出力電力が供給され、負荷２７は出力無し。
【００２６】
ステップ２．送信機２１を運転状態（送信機２２を運転状態、移相器２４の位相量は０度）として、ブリッジドＴ型応用回路２３，２５間において、第３端子間のみ出力（送信機２１出力の２倍の電力）が現れ、第４端子間は出力無し。負荷２６および負荷２７では、第３端子間の出力が均等分割される。従って、負荷２６には規定出力（送信機２１出力と同一電力）が供給される。
【００２７】
ステップ３．送信機２１，２２を運転状態のままで、移相器２４の位相量を１８０度として、ブリッジドＴ型応用回路２３，２５の第４端子間を１８０度移相（逆相）する。ここでは、非活線状態にある第４端子間を移相するため、負荷への影響はない。
【００２８】
ステップ４．送信機２２を停止する（送信機２１は運転状態）。ステップ３でブリッジドＴ型応用回路２３，２５の第４端子間の位相を逆相としているため、負荷２６に送信機２１の電力が供給される。
【００２９】
以上のステップにより、負荷２６を常に規定出力に保った状態で送信機の切替が可能となる。またステップ４からステップ３，ステップ２，ステップ１の順に進んでも同様の無停波切替が可能である。
【００３０】
このようにして、本発明の中波送信機出力切替装置は、無線送信を中断することで広く影響を及ぼす放送や通信等の分野で、負荷に対して無瞬断で安定的に電力供給が確保できる。負荷への電力供給を一定に保った状態で現用の送信機から予備の送信機への切替えおよび切戻しが可能となり、現用の送信機の保守、点検が容易となる。
【００３１】
短波帯の送信機についても、ブリッジドＴ形応用回路の構成素子を周波数に応じて変更することにより、同様に無瞬断で切替えることができる。
【００３２】
また、ブリッジドＴ形応用回路２３，２５を使用することで、送信機２１，２２相互間で全く干渉が生じないため、予備の送信機の装着、離脱および故障等による現用の送信機への影響は無く、保守、運用の面で柔軟なシステム運用が可能となる。
【００３３】
なお、送信機２１が請求項記載の第１送信機に対応し、送信機２２が第２送信機に対応し、ブリッジドＴ型応用回路２３が第１ブリッジドＴ型応用回路に対応し、ブリッジドＴ型応用回路２５が第２ブリッジドＴ型応用回路に対応し、コイルＬ１が第１コイルに対応し、コイルＬ２が第２コイルに対応し、コンデンサＣ２が第１コンデンサに対応し、コンデンサＣ３が第２コンデンサに対応し、コンデンサＣ１が第３コンデンサに対応する。
【００３４】
【発明の効果】
上述の如く、請求項１に記載の発明は、第１送信機出力が第１端子に供給され、第２送信機出力が第２端子に供給されて、前記第１端子入力と第２端子入力が第３端子より同相で合成されて出力され、前記第１端子入力と第２端子入力が第４端子より合成されたときに打ち消されずに生じる不平衡成分が出力される第１ブリッジドＴ型応用回路と、第１ブリッジドＴ型応用回路の第４端子出力を供給されて０度又は１８０度移相する位相量可変の移相器と、前記第１ブリッジドＴ型応用回路および前記移相器に接続され、前記第１ブリッジドＴ型応用回路と同一構成の第２ブリッジドＴ型応用回路と、を有し、第１ブリッジドＴ型応用回路の第３端子出力を第２ブリッジドＴ型応用回路の第３端子に供給し、移相器出力を第２ブリッジドＴ型応用回路の第４端子に供給し、第２ブリッジドＴ型応用回路の第１端子の出力を目的負荷に供給し、第２ブリッジドＴ型応用回路の第２端子の出力を疑似負荷に供給するよう構成され、第１ブリッジドＴ型応用回路及び第２ブリッジドＴ型応用回路それぞれは、第１端子が直列接続した第１，第２コイル及び直列接続した第１，第２コンデンサを介して第２端子に接続され、第１，第２コイルの接続点が第３コンデンサを介して接地されると共に第３端子に接続され、第２コンデンサと並列にトランスの１次巻線が接続され、トランスの他端を接地された２次巻線の一端が第４端子に接続されて構成されていることにより、第１，第２送信機出力の位相を変化させ出力電力の合成または分配を行って第１，第２送信機が動作状態のままで切替えを行うことができ、負荷への供給電力を一定に保った状態で切替えることができ、また、第１端子入力と第２端子入力を合成して第３端子から出力すると共に、第１端子入力と第２端子入力の不平衡成分を第４端子から任意に出力として取り出すことが可能となる。
【図面の簡単な説明】
【図１】本発明の中波送信機出力切替装置の一実施例のブロック図である。
【図２】ブリッジドＴ型基本回路とブリッジドＴ型応用回路の一実施例の回路図である。
【図３】ブリッジドＴ型応用回路２３の第１端子に入力１を供給した場合を示す図である。
【図４】ブリッジドＴ型応用回路２３の第２端子に入力２を供給した場合を示す図である。
【図５】ブリッジドＴ型応用回路２３の第１，第２端子に同電力かつ同位相で入力１，入力２を供給した場合を示す図である。
【図６】ブリッジドＴ型応用回路２５の第３端子に入力１を供給した場合を示す図である。
【図７】ブリッジドＴ型応用回路２５の第４端子に入力２を供給した場合を示す図である。
【図８】ブリッジドＴ型応用回路２５の第３，第４端子に同電力かつ同位相で入力１，入力２を供給した場合を示す図である。
【図９】移相器３５を挿入し入力１の位相を９０度遅れとした場合を示す図である。
【図１０】移相器３６を挿入し入力１の位相を９０度進めた場合を示す図である。
【図１１】従来の中波帯または短波帯の送信機出力切替装置の一例のブロック図である。
【符号の説明】
２０  発振器
２１，２２  送信機
２３，２５  ブリッジドＴ型応用回路
２４  移相器
２６，２７  負荷
【図１】
0004177566.tif 000002
【図２】
0004177566.tif 000003
【図３】
0004177566.tif 000004
【図４】
0004177566.tif 000005
【図５】
0004177566.tif 000006
【図６】
0004177566.tif 000007
【図７】
0004177566.tif 000008
【図８】
0004177566.tif 000009
【図９】
0004177566.tif 000010
【図１０】
0004177566.tif 000011
【図１１】
0004177566.tif 000012